(57)【要約】【課題】枠と内装材との接合部を覆う部位が、開口に対して異なる位置に設けられた２つの枠を、美観を損なうことなく覆うことが可能な建具を提供する。【解決手段】両端部を斜めに切断した４本の枠を、互いの端部同士を突き合わせて接合し内側に開口が形成された矩形状の枠体を有する建具であって、各々の前記枠は、室内側に突出されて内装材の端部を覆う内装材覆い部を有しており、隣接して接合された２本の前記枠のうちの一方の前記枠の前記内装材覆い部は前記開口の縁部に設けられ、他方の前記枠の前記内装材覆い部は前記開口の縁部より外側に配置され、前記他方の枠の前記内装材覆い部に固定され、前記一方の枠の前記内装材覆い部との間を覆うための中継覆い部材を有する。【選択図】図１
2010084429.tif 000002
【特許請求の範囲】
【請求項１】
両端部を斜めに切断した４本の枠を、互いの端部同士を突き合わせて接合し内側に開口が形成された矩形状の枠体を有する建具であって、
各々の前記枠は、室内側に突出されて内装材の端部を覆う内装材覆い部を有しており、
隣接して接合された２本の前記枠のうちの一方の前記枠の前記内装材覆い部は前記開口の縁部に設けられ、他方の前記枠の前記内装材覆い部は前記開口の縁部より外側に配置され、
前記他方の枠の前記内装材覆い部に固定され、前記一方の枠の前記内装材覆い部との間を覆うための中継覆い部材を有することを特徴とする建具。
【請求項２】
前記請求項１に記載の建具であって、
前記他方の枠の前記内装材覆い部は、前記一方の枠の前記内装材覆い部の延長線上にて切断されていることを特徴とする建具。
【請求項３】
請求項１または請求項２に記載の建具であって、
前記中継覆い部材は、前記他方の枠の前記内装材覆い部の前記一方の枠側の面に当接される当接面と、前記一方の枠が有する前記内装材覆い部の前記他方の枠側の端部に載置される載置部とを有することを特徴とする建具。
【請求項４】
請求項１乃至請求項３のいずれかに記載の建具であって、
前記一方の枠は下枠であり、前記下枠が覆う前記内装材は床部材であることを特徴とする建具。
【請求項５】
請求項１乃至請求項４のいずれかに記載の建具であって、
前記中継覆い部材の前記開口側の部位は、前記開口側に中心を有する円弧状に形成されていることを特徴とする建具。
【発明の詳細な説明】
【技術分野】
【０００１】
本発明は、枠の端部同士を互いに突き合わせて矩形状に接合した枠体を有する建具に関する。
【背景技術】
【０００２】
従来、建具や建具の納まりの美観を考慮し、例えば窓枠や障子の框などの棒状の部材を、それらの各端部を４５度に切断し、隣接する棒状の部材の端部同士を突き合わせて方形状に連結する方法が知られている（例えば、特許文献１参照）。隣接する棒状の部材の端部同士を突き合わせて連結する場合には、接合する部材の端縁同士の断面が同一形状であることが望ましい。
【特許文献１】特許第３１３８８５８号明細書
【発明の開示】
【発明が解決しようとする課題】
【０００３】
斜めに切断された端部同士を突き合わせて方形状に接合された部材としての、例えば窓枠は、枠体に障子の框を入り込ませるべく各枠を内装材（例えば額縁）より内側、すなわち窓枠にて囲まれた開口側に突出させることがある。この場合には、枠と内装材との接合部を覆う部位が開口の縁より外側に設けられる。ところが、近年バリアフリーの観点から下枠においては、内装材としての床材の上面より上方に突出しないように、床面と下枠との当接部を覆う部位を床面と同じ高さ、すなわち下枠の開口側の縁部に設けることが望まれている。しかしながら、四方枠組みした４本の枠のうち下枠のみ、枠と内装材との当接部を覆う部位の位置を違えてしまうと、枠と内装材との当接部を覆う部位が下枠と縦枠との接合部にて繋がらず、美観が損なわれる虞がある。
【０００４】
本発明は、かかる課題に鑑みてなされたものであり、その目的とするところは、枠と内装材との接合部を覆う部位が、開口に対して異なる位置に設けられた２つの枠を、美観を損なうことなく納めることが可能な建具を提供することにある。
【課題を解決するための手段】
【０００５】
かかる目的を達成するために本発明の建具は、両端部を斜めに切断した４本の枠を、互いの端部同士を突き合わせて接合し内側に開口が形成された矩形状の枠体を有する建具であって、各々の前記枠は、室内側に突出されて内装材の端部を覆う内装材覆い部を有しており、隣接して接合された２本の前記枠のうちの一方の前記枠の前記内装材覆い部は前記開口の縁部に設けられ、他方の前記枠の前記内装材覆い部は前記開口の縁部より外側に配置され、前記他方の枠の前記内装材覆い部に固定され、前記一方の枠の前記内装材覆い部との間を覆うための中継覆い部材を有することを特徴とする建具である。
【０００６】
建具の枠体を構成する各枠に設けられ室内側に突出されて内装材の端部を覆う内装材覆い部が周方向において繋がっている場合には、枠体が取り付けられている周囲の内装材の端部を全周に渡って覆うので建具の収まりが良い。ところが、両端部を斜めに切断した４本の枠を、互いの端部同士を突き合わせて接合した矩形状の枠体の場合には、各々の枠に設けられた内装材覆い部の、枠体の内側に形成された開口からの距離が相違すると、隣接する枠にそれぞれ設けられている内装材覆い部間となる角部に隙間が生じてしまう。隣接する枠の内装材覆い部間に隙間が生じてしまうと、隙間の部分から内装材の端部が露出して、美観を損なう虞がある。このため、上記の建具のように、他方の枠の内装材覆い部に固定され、一方の枠の内装材覆い部との間を覆うための中継覆い部材を有する構成とすることにより、内装材の端部を全周に渡って覆うことが可能である。すなわち、互いに異なる位置に設けられた内装材覆い部を備えた枠同士を、その端部を斜めに切断して突き合わせて接合しても美観を損なうことなく連結することが可能な建具を提供することが可能である。
【０００７】
かかる建具であって、前記他方の枠の前記内装材覆い部は、前記一方の枠の前記内装材覆い部の延長線上にて切断されていることが望ましい。  
このような建具によれば、他方の枠の内装材覆い部の端部は、一方の枠の内装材覆い部の直線上に位置するので、内装材に枠体が取り付けられる部位を平坦に仕上げることが可能である。このため、建具を取り付ける施工にかかる手間が少なく、容易に取り付けることが可能である。
【０００８】
かかる建具であって、前記中継覆い部材は、前記他方の枠の前記内装材覆い部の前記一方の枠側の面に当接される当接面と、前記一方の枠が有する前記内装材覆い部の前記他方の枠側の端部に載置される載置部とを有することが望ましい。  
このような建具によれば、中継覆い部材は他方の枠の内装材覆い部の一方の枠側の面に当接され、一方の枠が有する内装材覆い部の他方の枠側の端部に載置されるので、中継覆い部材を取り付けることにより、一方の枠と他方の枠との端部をも内装材覆い部にて覆うことが可能である。このため、建具をより美しく納めることが可能である。
【０００９】
かかる建具であって、前記一方の枠は下枠であり、前記下枠が覆う前記内装材は床部材であることが望ましい。  
このような建具によれば、内装材覆い部は前記開口の縁部に設けられた一方の枠が下枠であり、下枠の内装材覆い部が床部材の端部を覆うので、床部材から平坦に繋がる枠部材を備えた建具を実現することが可能である。
【００１０】
かかる建具であって、前記中継覆い部材の前記開口側の部位は、前記開口側に中心を有する円弧状に形成されていることが望ましい。  
このような建具によれば、一方の枠と他方の枠とが接合される角部が開口側に中心を有する円弧状に形成されているので、埃等が溜まりにくく、また、掃除しやすい建具を提供することが可能である。
【発明の効果】
【００１１】
本発明によれば、枠と内装材との接合部を覆う部位が、開口に対して異なる位置に設けられた２つの枠を、美観を損なうことなく納めることが可能な建具を提供することが可能である。
【発明を実施するための最良の形態】
【００１２】
以下、本発明の一実施形態に係る建具について図面を参照して説明する。  
本実施形態の建具１は、図１〜図３に示すような、見付け方向に沿って突部（レール）１１ｅ、１２ｅを備えた枠体としての窓枠１０に、内障子５と外障子６とが突部（レール）１１ｅ、１２ｅに沿ってスライド可能に設けられた引き違い窓用の建具１である。  
この建具１は、同一の断面形状をなす樹脂製の成形部材でなる上枠１１、左右の縦枠１３，１４と、これらと断面形状が一部異なる樹脂製の成形部材でなる下枠１２の各端部を４５度に切断して矩形状に接合した枠体としての窓枠１０に、内障子５と外障子６とが見付け方向に移動自在に装着されている。
【００１３】
以下の説明では、窓枠１０単体の説明であっても、建具１が取り付けられた状態を基準として室内側及び室外側として示す。また、矩形状に枠組みされた窓枠１０に囲まれた空間となる開口１０ａ側を内方または内側とし、開口１０ａと反対側の窓枠１０の外周側を外方または外側として示す。
【００１４】
上枠１１、左右の縦枠１３、１４は、枠本体１１ａ、１３ａ、１４ａと、枠本体１１ａ、１３ａ、１４ａの室外側の端部に設けられた網戸係合部１１ｂ、１３ｂ、１４ｂと、枠本体１１ａ、１３ａ、１４ａの室内側の端部に設けられた室内側壁部１１ｃ、１３ｃ、１４ｃと、室内側壁部１１ｃ、１３ｃ、１４ｃから室内側に突出された内装材覆い部１１ｄ、１３ｄ、１４ｄと、網戸係合部１１ｂ、１３ｂ、１４ｂと室内側壁部１１ｃ、１３ｃ、１４ｃとの間に長手方向に沿って設けられた２本の突部１１ｅ、１３ｅ、１４ｅと、枠本体１１ａ、１３ａ、１４ａの外周面に設けられた躯体固定部１１ｆ、１３ｆ、１４ｆと、を有している。
【００１５】
枠本体１１ａ、１３ａ、１４ａは、長手方向に沿って連通する複数の中空部を備え、矩形状に形成される窓枠１０の外周部をなしている。
【００１６】
網戸係合部１１ｂ、１３ｂ、１４ｂは、枠本体１１ａ、１３ａ、１４ａの室外側の端部から開口１０ａ側すなわち内側に向かって突出され、窓枠１０の最も室外側に設けられる網戸７の框に挿入される。ここで、上枠１１の網戸係合部１１ｂが、網戸７を案内するレールを構成している。
【００１７】
室内側壁部１１ｃ、１３ｃ、１４ｃは、枠本体１１ａ、１３ａ、１４ａの室内側の端部から内側に向かって突出されている。
【００１８】
内装材覆い部１１ｄ、１３ｄ、１４ｄは、室内側壁部１１ｃ、１３ｃ、１４ｃにおける当該室内側壁部１１ｃ、１３ｃ、１４ｃの先端と枠本体１１ａ、１３ａ、１４ａとの中間の位置に長手方向に沿って設けられており、室内側に突出されて、窓枠１０と隣接して設けられる内壁材や額縁といった内装材３の端部を覆うように構成されている。また、内装材覆い部１１ｄ、１３ｄ、１４ｄは、隣接する内装材（例えば額縁）３と内装材覆い部１１ｄ、１３ｄ、１４ｄとをビスにて固定するための固定孔１５（図４）が長手方向に沿って適宜間隔を隔てて設けられている。
【００１９】
２本の突部１１ｅ、１３ｅ、１４ｅは、網戸係合部１１ｂ、１３ｂ、１４ｂと室内側壁部１１ｃ、１３ｃ、１４ｃとの間に長手方向に沿って設けられており、網戸係合部１１ｂ、１３ｂ、１４ｂ及び室内側壁部１１ｃ、１３ｃ、１４ｃも含め、見込み方向において適宜間隔を隔てて平行に設けられている。ここで、上枠１１に設けられた突部１１ｅは、内障子５と外障子６との上框５ｃ、６ｃに設けられた溝部５ｄ、６ｄに挿入されて、内障子５と外障子６とそれぞれ見付け方向に案内するレールである。
【００２０】
また、左右の縦枠１３、１４に設けられた突部１３ｅ、１４ｅは、障子５、６を閉じたときに、内障子５と外障子６との戸先框５ａ、６ａに設けられた溝部５ｂ、６ｂに挿入される。
【００２１】
躯体固定部１１ｆ、１３ｆ、１４ｆは、枠本体１１ａ、１３ａ、１４ａの外周面に長手方向に沿って設けられた板状の部位であり、外方に突出されて躯体２にビスにて固定される。
【００２２】
下枠１２は、上記上枠１１、左右の縦枠１３、１４と同様に、枠本体１２ａと、網戸係合部１２ｂと、室内側壁部１２ｃと、内装材覆い部１２ｄと、２本の突部１２ｅと、躯体固定部１２ｆと、を備えているが、室内側に長手方向に沿って突出された内装材覆い部１２ｄが室内側壁部１２ｃの先端に設けられている点と、突部（レール）１２ｅ上に戸車１６をガイドする部位が設けられている点で上枠１１、左右の縦枠１３、１４と相違している。また、下枠１２の内装材覆い部１２ｄにも、隣接する内装材（例えばフローリング材）３と内装材覆い部１２ｄとをビスにて固定するための固定孔（不図示）が長手方向に沿って適宜間隔を隔てて設けられている。
【００２３】
窓枠１０は、上述した上枠１１、下枠１２、左右の縦枠１３、１４の両端部を４５度に切断し、隣接する枠、例えば、上枠１１と左右の縦枠１３、１４、下枠１２と左右の縦枠１３、１４との端部を突き合わせて溶着することにより図１に示すように矩形状に接合されている。このとき、上枠１１、下枠１２、左右の縦枠１３、１４は、いずれも同断面となる枠本体１１ａ、１２ａ、１３ａ、１４ａと、網戸係合部１１ｂ、１２ｂ、１３ｂ、１４ｂと、室内側壁部１１ｃ、１２ｃ、１３ｃ、１４ｃと、躯体固定部１１ｆ、１２ｆ、１３ｆ、１４ｆとを有しているので、互いの枠本体１１ａ、１２ａ、１３ａ、１４ａ同士、網戸係合部１１ｂ、１２ｂ、１３ｂ、１４ｂ同士、室内側壁部１１ｃ、１２ｃ、１３ｃ、１４ｃ同士、躯体固定部１１ｆ、１２ｆ、１３ｆ、１４ｆ同士がそれぞれ接合される。また、上枠１１と左右の縦枠１３、１４とについては、内装材覆い部１１ｄ、１３ｄ、１４ｄ及び２本の突部１１ｅ、１３ｅ、１４ｅも同断面となる位置に配置されているので、内装材覆い部１１ｄ、１３ｄ、１４ｄ同士及び２本の突部１１ｅ、１３ｅ、１４ｅ同士が突き合わされて接合されている。
【００２４】
ところが、下枠１２は左右の縦枠１３、１４と内装材覆い部１２ｄ、１３ｄ、１４ｄが設けられている位置が相違するため、図１に示すように、下枠１２の内装材覆い部１２ｄと左右の縦枠１３、１４の内装材覆い部１３ｄ、１４ｄとの間に隙間が生じ、突き合わせることができない。具体的には、下枠１２の内装材覆い部１２ｄは室内側壁部１２ｃの上端（先端）から室内方向に水平に設けられており、左右の縦枠１３、１４の内装材覆い部１３ｄ、１４ｄは室内側壁部１３ｃ、１４ｃの先端より外側に設けられている。このため、下枠１２と左右の縦枠１３、１４との端部同士を突き合わせた際には、室内側壁部１２ｃ、１３ｃ、１４ｃの先端同士が突き合わされるため、縦枠１３、１４の室内側壁部１３ｃ、１４ｃにおいて内装材覆い部１３ｄ、１４ｄより先端側に突出している分だけ、下枠１２の内装材覆い部１２ｄの長手方向の縁１２ｈと、左右の縦枠１３、１４の内装材覆い部１３ｄ、１４ｄの内側面１３ｇ、１４ｇとの間に隙間が生じてしまう。このように、下枠１２の内装材覆い部１２ｄと、左右の縦枠１３、１４の内装材覆い部１３ｄ、１４ｄとの間に隙間が生じると、隙間から内装材３の端部が露出し見栄えが悪い。このため、本建具１は、下枠１２の内装材覆い部１２ｄと、左右の縦枠１３、１４の内装材覆い部１３ｄ、１４ｄとの間を塞ぐための中継覆い部材２０を備えている。
【００２５】
中継覆い部材２０は、見込み方向において、下枠１２及び左右の縦枠１３、１４の内装材覆い部１２ｄ、１３ｄ、１４ｄとほぼ同じ幅を有し樹脂製のブロック状をなす部材である。
【００２６】
中継覆い部材２０は、下枠１２の内装材覆い部１２ｄと左右の縦枠１３、１４の内装材覆い部１３ｄ、１４ｄとの間を塞ぐべく窓枠１０の左下側と右下側とにそれぞれ設けられているが、その形状は左右対称形状である。このため、ここでは室内側から向かって左下側に設けられる中継覆い部材２０を例に挙げて説明する。
【００２７】
左下側の中継覆い部材２０は、図４、図５に示すように、左の縦枠（以下、左縦枠という）１３が有する内装材覆い部１３ｄに当接される縦枠当接面２０ａを有する縦枠当接部２１と、縦枠当接部２１と繋がって下枠１２が有する内装材覆い部１２ｄの左縦枠１３側の端部１２ｇに載置される下枠載置部２２と、下枠１２が有する内装材覆い部１２ｄの左縦枠１３側の縁１２ｈと左縦枠１３との間に介在されるように配置される介在部２３とを有している。
【００２８】
縦枠当接面２０ａを有する縦枠当接部２１側は、下枠載置部２２側より高くなるように形成されており、下枠載置部２２より左縦枠１３側であって上方に位置する縦枠当接部２１側（左側）の端部２１ａと下枠載置部２２側（右側）の端部２２ａとは、窓枠１０が形成する開口１０ａの中央側に中心を有する円弧状の曲面に形成されている。
【００２９】
中継覆い部材２０には、縦枠当接面２０ａにねじ穴２０ｂが形成されており、左縦枠１３の外側から内装材覆い部１３ｄに設けられた孔（不図示）を貫通したビスが螺合されて左縦枠１３に固定されている。中継覆い部材２０が左縦枠１３に固定された状態で、中継覆い部材２０の見付け方向における中央側の先端となる下枠載置部２２が、下枠１２が有する内装材覆い部１２ｄの左側の端部１２ｇに載置され、中継覆い部材２０の下端側に位置する介在部２３が左縦枠１３の内装材覆い部１３ｄと下枠１２が有する内装材覆い部１２ｄの左側の縁１２ｈとの間に配置される。このとき、下枠１２の内装材覆い部１２ｄの下面と、中継覆い部材２０の介在部２３の下面と、左縦枠１３の内装材覆い部１３ｄの下端縁とがほぼ平坦な面を形成するように構成されている。このため、他方の枠としての左縦枠１３の内装材覆い部１３ｄは、一方の枠としての下枠１２の内装材覆い部１２ｄの延長線上にて切断されている。
【００３０】
上記実施形態の建具１のように、両端部を斜めに切断した４本の上枠１１、下枠１２、左右の縦枠１３、１４を、互いの端部同士を突き合わせて接合した矩形状の窓枠１０において、下枠１２に設けられた内装材覆い部１２ｄと、左右の縦枠１３、１４に設けられた内装材覆い部１３ｄ、１４ｄとが、窓枠１０の内側に形成された開口１０ａからの距離が相違する位置に設けられていたとしても、縦枠１３、１４の内装材覆い部１３ｄ、１４ｄに固定され、下枠１２の内装材覆い部１２ｄとの間を覆うための中継覆い部材２０を取り付けることにより、内装材３の端部を全周に渡って覆うことが可能である。すなわち、互いに異なる位置に設けられた内装材覆い部１２ｄ、１３ｄ、１４ｄを備えた下枠と縦枠１３、１４を、その端部を斜めに切断して突き合わせて接合したとしても、隣接している下枠１２と左右の縦枠１３、１４に設けられている内装材覆い部１２ｄ、１３ｄ、１４ｄ間の角部に隙間が生じることなく、美観を損なうことなく連結することが可能な建具１を提供することが可能である。
【００３１】
また、縦枠１３、１４の内装材覆い部１３ｄ、１４ｄの端部が、下枠１２の内装材覆い部１２ｄの直線上に位置する構成としたので、窓枠１０の、内装材３が当接される部位を平坦に仕上げることが可能である。このため、建具１を取り付ける施工にかかる手間が少なく、容易に取り付けることが可能である。
【００３２】
また、中継覆い部材２０は縦枠１３、１４の内装材覆い部１３ｄ、１４ｄの下枠１２側の面に当接され、下枠１２が有する内装材覆い部１２ｄの縦枠１３、１４側の端部１２ｇに載置されるので、中継覆い部材２０を取り付けることにより、下枠１２の内装材覆い部１２ｄの端部と縦枠１３、１４の内装材覆い部１３ｄ、１４ｄの端部とを中継覆い部材２０にて覆うことが可能である。このため、建具１をより美しく納めることが可能である。
【００３３】
また、下枠１２の内装材覆い部１２ｄを開口１０ａの縁部、すなわち室内側壁部１２ｃの上端部に設け、隣接する内装材３を床部材（フローリング材等）としてので、下枠１２の内装材覆い部１２ｄが床部材の端部を覆うことにより、床部材から平坦に繋がる下枠１２を備えた建具１を実現することが可能である。
【００３４】
また、中継覆い部材２０の開口１０ａ側の部位を、開口１０ａ側に中心を有する円弧状をなす曲面にて形成したので、下枠１２と縦枠１３、１４とが接合される角部に埃等が溜まりにくく、また、掃除しやすい建具１を提供することが可能である。
【００３５】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３６】
上記実施形態においては、上枠１１、下枠１２、左右の縦枠１３、１４をいずれも樹脂製としたが、これに限らず、例えばアルミニウム製であっても構わない。また、各枠の両端部を４５度に切断した例について説明したが、必ずしも４５度でなくとも、突き合わせた際に所望の角度をなすように適宜な角度にて斜めに切断した形態であっても構わない。
【００３７】
上記実施形態においては、下枠１２と隣接する内装材３を床部材としたが、額縁や内壁材等であっても構わない。また、縦枠１３、１４と隣接する内装材３を額縁としたが内壁材であっても構わない。
【００３８】
また、上記実施形態においては、下枠１２の内装材覆い部１２ｄのみ、他の枠１１、１３、１４の内装材覆い部１１ｄ、１３ｄ、１４ｄの位置が相違する例について説明したが、これに限るものではない。
【００３９】
また、上記実施形態においては、障子が左右方向に移動可能な引き違い窓用の建具を例に挙げて説明したが、片引き窓や、開口枠内を移動障子が垂直方向に移動可能に設けられた上げ下げ窓であっても構わない。
【図面の簡単な説明】
【００４０】
【図１】本実施形態に係る建具を室内側からみた外観図である。
【図２】本実施形態に係る建具の縦断面図である。
【図３】本実施形態に係る建具の平断面図である。
【図４】窓枠の左下角部を示す斜視図である。
【図５】中継覆い部材を示す斜視図である。
【符号の説明】
【００４１】
１  建具、３  内装材、１０  窓枠、１０ａ  開口、１１  上枠、
１１ｄ  内装材覆い部、１２  下枠、１２ｄ  内装材覆い部、１２ｇ  端部、
１２ｈ  縁、１２ｇ  端部、１３  左縦枠、１３ｄ  内装材覆い部、
１４  右の縦枠、１４ｄ  内装材覆い部、２０  中継覆い部材、
２０ａ  縦枠当接面、２１  縦枠当接部、２２  下枠載置部
【図１】
2010084429.tif 000003
【図２】
2010084429.tif 000004
【図３】
2010084429.tif 000005
【図４】
2010084429.tif 000006
【図５】
2010084429.tif 000007